(57)【要約】      （修正有）【課題】印刷、ポスティングをそれぞれ別に会社に発注することなく、一括で印刷及びポスティングを発注可能とする。【解決手段】配布物の印刷及びポスティングに必要な事項を含む依頼情報を受信し、依頼情報において指定された配布地域に対応した印刷会社及びポスティング会社を選択決定する依頼処理部と、依頼情報及び選択された印刷会社の情報に基づいて、印刷指示情報を生成し、送信する印刷指示部と、前記依頼情報及び選択されたポスティング会社の情報に基づいて、ポスティング指示情報を生成し、送信するポスティング指示部とを有する。【選択図】図２
2012252544.tif 000002
【特許請求の範囲】
【請求項１】
配布物の印刷及びポスティングに必要な事項を含む依頼情報を受信し、依頼情報において指定された配布地域に対応した印刷会社及びポスティング会社を選択決定する処理手段と、
前記依頼情報及び選択された印刷会社の情報に基づいて、印刷指示情報を生成し、送信する第１の指示手段と、
前記依頼情報及び選択されたポスティング会社の情報に基づいて、ポスティング指示情報を生成し、送信する第２の指示手段と
を有する管理装置。
【請求項２】
配布物の印刷及びポスティングに必要な事項を含む依頼情報を受信する処理と、
依頼情報において指定された配布地域に基づいて、印刷会社及びポスティング会社を選択決定する処理と、
前記依頼情報及び選択された印刷会社の情報に基づいて、印刷指示情報を生成し、送信する処理と、
前記依頼情報及び選択されたポスティング会社の情報に基づいて、ポスティング指示情報を生成し、送信する処理と
を有する受注処理方法。
【発明の詳細な説明】
【技術分野】
【０００１】
本発明は受注システム、並びに受注処理方法に関する。
【背景技術】
【０００２】
近年印刷物の受発注の通販サイトは近年増加し、多数存在するようになってきている。印刷物受発注システムとして、ネットワーク５０を介して受注し、印刷するシステムなどが提案されている(例えば、特許文献１）
【先行技術文献】
【特許文献】
【０００３】
【特許文献１】特開２００５−２５９０１８
【発明の概要】
【発明が解決しようとする課題】
【０００４】
印刷物にはポスティングに供されるチラシや広告などがある。ポスティング（戸別配布）とは、広告・宣伝を目的に、チラシやパンフレットを、各個宅のポストへ直接投入する販促活動の一つである。主な業種は、小売店、飲食店、通信販売、貸金業、不動産会社など巾が広く、利用する企業は少なくない。
【０００５】
しかしながら、従来の印刷物受発注システムでは、ポスティングの実行を含めてWEB上で受発注することはできず、利用者は印刷物の作成発注とは別に、自身でポスティング会社を選定し、配布を依頼しなければならなかった。
本発明の目的は、印刷、ポスティングをそれぞれ別に会社に発注することなく、一括で印刷及びポスティングを発注できる技術を提供することにある。
【課題を解決するための手段】
【０００６】
上記課題を解決するための手段として、本発明は以下の特徴を有する。
本発明の第１の態様は、管理装置として成立する。この管理装置は、配布物の印刷及びポスティングに必要な事項を含む依頼情報を受信し、依頼情報において指定された配布地域に対応した印刷会社及びポスティング会社を選択決定する処理手段と、前記依頼情報及び選択された印刷会社の情報に基づいて、印刷指示情報を生成し、送信する第１の指示手段と、前記依頼情報及び選択されたポスティング会社の情報に基づいて、ポスティング指示情報を生成し、送信する第２の指示手段とを有することを特徴とする。
【０００７】
本発明の第２の態様は、受注処理方法として成立する。
この受注処理方法は、配布物の印刷及びポスティングに必要な事項を含む依頼情報を受信する処理と、依頼情報において指定された配布地域に基づいて、印刷会社及びポスティング会社を選択決定する処理と、前記依頼情報及び選択された印刷会社の情報に基づいて、印刷指示情報を生成し、送信する処理と、前記依頼情報及び選択されたポスティング会社の情報に基づいて、ポスティング指示情報を生成し、送信する処理とを有することを特徴としている。
【発明の効果】
【０００８】
本発明によれば、印刷、ポスティングをそれぞれ別に会社に発注することなく、一括で印刷及びポスティングを発注できる。
【図面の簡単な説明】
【０００９】
【図１】受注システムの構成例を示したブロック図である。
【図２】管理装置の構成例を示す機能ブロック図である。
【図３】受注システムの動作例を示したシーケンス図である。
【図４】依頼入力において、最初に表示される入力用ユーザインターフェイスの画面表示例の図である。
【図５】図４から遷移後に表示される入力用ユーザインターフェイスの画面表示例の図である。
【図６】図５から遷移後に表示される入力用ユーザインターフェイスの画面表示例の図である。
【図７】図６から遷移後に表示される入力用ユーザインターフェイスの画面表示例の図である。
【図８】図７から遷移後に表示される入力用ユーザインターフェイスの画面表示例の図である。
【図９】印刷指示情報の内容例を示す図である。
【図１０】ポスティング指示情報の内容例を示す図である。
【図１１】管理装置によって実行される受注処理方法の一例を示したフローチャートである。
【発明を実施するための形態】
【００１０】
以下に添付の図面を参照しながら、本発明の実施の形態である受注システム１について説明する。
【００１１】
[０．用語の定義]
以下の説明において使用される用語の定義について述べておく。
[０．１．依頼者]
本発明にかかる受注システム１に印刷物の作成、及びその印刷物のポスティングを依頼するものをいう。法人、個人、団体の別を問わない。
[０．２．印刷会社]
本発明にかかる受注システム１からの印刷指示に応じて、印刷物の作成を行うものをいう。法人、個人、団体の種別を問わない。
[０．３．ポスティング会社]
本発明にかかる受注システム１からのポスティング指示に応じて、印刷物のポスティングを行うものをいう。法人、個人、団体の種別を問わない。また自らが直接ポスティングを行うものに限られず、別途他者に依頼してポスティングを実行するものであってもかまわない。
【００１２】
[１．構成例]
図１は、本発明の実施の形態である受注システム１の構成例を示したブロック図である。受注システム１１は、管理装置１０と、管理装置１０にネットワーク５０を介して接続可能な依頼者側端末装置２０、印刷会社側端末装置３０、及びポスティング会社側端末装置４０で構成される。管理装置１０と依頼者側端末装置２０、印刷会社側端末装置３０、及びポスティング会社側端末装置４０とは、ネットワーク５０を介して通信を確立し、データの送受信を行うことができるように構成される。
【００１３】
なお、管理装置１０と依頼者側端末装置２０、印刷会社側端末装置３０、及びポスティング会社側端末装置４０とは同一のネットワーク５０を介して接続されるように図１に示したが、異なるネットワーク５０を介して接続する構成としても本発明は成立する。
【００１４】
また、依頼者側端末装置２０、印刷会社側端末装置３０、及びポスティング会社側端末装置４０はそれぞれ一つのみ図示しているが、本受注システム１１が複数個の依頼者側端末装置２０、印刷会社側端末装置３０、及びポスティング会社側端末装置４０を有する構成を本発明の技術的範囲から排除する趣旨ではない。
【００１５】
[１．１．管理装置１０]
管理装置１０は、演算処理装置（ＣＰＵ）、主メモリ（ＲＡＭ）、読出し専用メモリ（ＲＯＭ）、入出力装置（Ｉ／Ｏ）、必要な場合にはハードディスク装置などの外部記憶装置を具備している情報処理装置、或いはそのような情報処理装置を含む装置であって、例えばコンピュータ、ワークステーションなどである。
【００１６】
管理装置１０は、依頼者側端末装置２０から印刷及びポスティングに関する依頼情報を受信し、この依頼情報に基づいて印刷指示情報を生成して印刷会社側端末装置３０に送信し、且つこの依頼情報に基づいてポスティング指示情報を生成してポスティング会社側端末装置４０に送信する機能を有する。
【００１７】
「印刷指示情報」とは、印刷会社に印刷物の作成を指示するとともに、印刷物作成に必要な諸事項を含む情報をいう。
「ポスティング指示情報」とは、ポスティング会社に印刷物のポスティング実行を指示するとともに、ポスティングに必要な諸事項を含む情報をいう。
図２に、管理装置１０の構成例を示す機能ブロック図を示す。なお、各ブロックは管理装置１０の機能をまとめた単位であって、管理装置１０が実際に各ブロックに相当する回路、装置などのハードウエアを有していることを意味するものではない。
【００１８】
管理装置１０は、通信処理部２１と、通信処理部２１に接続された依頼処理部２２と、依頼処理部２２に接続された印刷指示部２４及びポスティング指示部２５と、依頼処理部２２に接続されたデータベース２３とを有している。なお、「接続される」とは、物理的な配線などによる接続に限られず、データの送受信、受け渡し可能な状態を含む意味で用いている。
【００１９】
通信処理部２１は、ネットワーク５０に接続され、ネットワーク５０を介して他の装置から送信されたデータを受信してコンピュータ処理可能な情報として出力し、ネットワーク５０を介して他の装置にデータを送信する機能を有する。通信処理部２１は、例えば、ＬＡＮボードなどである。
【００２０】
本発明の処理手段に相当する依頼処理部２２は、依頼者側端末装置２０から受信した依頼情報に基づいて、印刷指示部２４に印刷指示情報を生成するように命令し、ポスティング指示部２５にポスティング指示情報を生成するように命令する機能を有する。なお、本実施の形態では、印刷物やポスティングの指示内容を依頼者側端末装置２０において依頼者に入力させるためのユーザインターフェイスとなる情報を送信する機能を有するものとして説明するが、依頼者側端末装置２０にあらかじめユーザインターフェイスを生成するアプリケーション(クライアント)がインストールされている構成としてもかまわない。
【００２１】
データベース２３は、配布地域と印刷会社を対応付けしている情報（地域−印刷会社テーブル）と、配布地域とポスティング会社を対応付けしている情報（地域−ポスティング会社テーブル）とを有している。
【００２２】
また、データベース２３は印刷会社とそのメールアドレスを対応付けしている情報（印刷会社アドレステーブル）と、ポスティング会社とそのメールアドレスを対応付けしている情報（ポスティング会社アドレステーブル）とを記憶している。
【００２３】
また、データベース２３は、依頼情報の内容基づいて見積額を決定する見積額テーブル、印刷会社それぞれの住所、電話番号、ファクス番号、メールアドレス、振込先銀行口座などの情報を記憶した印刷会社情報テーブル、ポスティング会社それぞれの住所、電話番号、ファクス番号、メールアドレス、振込先銀行口座などの情報を記憶したポスティング会社情報テーブルを記憶している。
【００２４】
本発明の第１の指示手段に相当する印刷指示部２４は、依頼処理部２２からの命令を受けると、データベース２３を参照して印刷指示情報の送信先である印刷会社（以下、「選択印刷会社」）及びそのメールアドレスを選択決定し、依頼情報から印刷会社が印刷を実行するために必要な情報（例えば、原稿データ、印刷枚数、カラー指定など）を抽出して、これに基づいて電子メールとして前記選択印刷会社のメールアドレスに送信可能なデータである印刷指示情報を生成し、ネットワーク５０を介して印刷会社側端末装置３０（選択印刷会社によって使用される印刷会社側端末装置３０）に送信する。
【００２５】
本発明の第２の指示手段に相当するポスティング指示部２５は、依頼処理部２２からの命令を受けると、データベース２３を参照してポスティング指示情報の送信先であるポスティング会社（以下、「選択ポスティング会社」）及びそのメールアドレスを選択決定し、依頼情報からポスティング会社がポスティング（戸別配布）を実行するために必要な情報（例えば、配布地域、住居指定の有無、配布期間など）を抽出して、これに基づいて電子メールとして前記選択ポスティング会社のメールアドレスに送信可能なデータであるポスティング指示情報を生成し、ネットワーク５０を介して印刷会社側端末装置３０（選択印刷会社によって使用される印刷会社側端末装置３０）に送信する。
【００２６】
[１．２．依頼者側端末装置２０]
依頼者側端末装置２０は、演算処理装置（ＣＰＵ）、主メモリ（ＲＡＭ）、読出し専用メモリ（ＲＯＭ）、入出力装置（Ｉ／Ｏ）、必要な場合にはハードディスク装置などの外部記憶装置を具備している情報処理装置、或いはそのような情報処理装置を含む装置であって、例えばパーソナル・コンピュータ、携帯電話機、ＰＤＡ（personal data assistant）などである。
【００２７】
依頼者側端末装置２０は、依頼者の依頼情報の入力を促し、入力された依頼情報を管理装置１０に送信する機能を有する。依頼情報の入力受付及び送信は、一般的なブラウザソフトで行うようにしてもよいし、本受注システム１専用のアプリケーションを、あらかじめ管理装置１０などからダウンロードしてこれを用いる構成としてもよいし、その他の方法であってもかまわない。
【００２８】
[１．３．印刷会社側端末装置３０]
印刷会社側端末装置３０は、演算処理装置（ＣＰＵ）、主メモリ（ＲＡＭ）、読出し専用メモリ（ＲＯＭ）、入出力装置（Ｉ／Ｏ）、必要な場合にはハードディスク装置などの外部記憶装置を具備している情報処理装置、或いはそのような情報処理装置を含む装置であって、例えばパーソナル・コンピュータ、携帯電話機、ＰＤＡ（personal data assistant）などである。
印刷会社側端末装置３０は、管理装置１０から送信された印刷指示情報の内容を表示する機能を有する。表示態様は液晶ディスプレイ装置上の画面表示であってもよいし、印刷会社側端末装置３０に接続されたプリンタなどに印刷させる態様でもかまわない。
【００２９】
[１．４．ポスティング会社側端末装置４０]
ポスティング会社側端末装置４０は、演算処理装置（ＣＰＵ）、主メモリ（ＲＡＭ）、読出し専用メモリ（ＲＯＭ）、入出力装置（Ｉ／Ｏ）、必要な場合にはハードディスク装置などの外部記憶装置を具備している情報処理装置、或いはそのような情報処理装置を含む装置であって、例えばパーソナル・コンピュータ、携帯電話機、ＰＤＡ（personal data assistant）などである。
【００３０】
ポスティング会社側端末装置４０は、管理装置１０から送信された印刷指示情報の内容を表示する機能を有する。表示態様は液晶ディスプレイ装置上の画面表示であってもよいし、ポスティング会社側端末装置４０に接続されたプリンタなどに印刷させる態様でもかまわない。
【００３１】
[１．５．ネットワーク]
ネットワーク５０は、管理装置１０と依頼者側端末装置２０、印刷会社側端末装置３０、及びポスティング会社側端末装置４０との間でデータの送受信を可能とする通信網、複数の通信網の組み合わせであって、例えばインターネット、移動体通信網などである。
【００３２】
[２．動作例]
次に、本受注システム１の動作例について説明する。図３は、本受注システム１の動作例を示したシーケンス図である。以下、図３を参照しながら本受注システム１の動作例を述べる。
【００３３】
ある依頼者が本受注システム１を利用して、販売促進のためのチラシを作成し、あらかじめ定めた地域に戸別配布させたいものとする。この依頼者は依頼者側端末装置２０を操作して、管理装置１０に依頼情報入力を行わせることを求める依頼情報入力要求（Ｓ１０）を行う。具体例としては、依頼者側端末装置２０上でブラウザを立ち上げ、管理装置１０が提供する依頼入力サイトにアクセスする、などである。
【００３４】
依頼入力要求の後、依頼者側端末装置２０は管理装置１０にネットワーク５０を介して依頼情報入力要求メッセージを送信する（Ｓ２０）。
依頼情報入力要求メッセージを受信した管理装置１０は、依頼情報入力を促すための入力用ユーザインターフェイスデータ（例えば、入力画面用ウェブページ）を生成もしくはあらかじめ用意されていたものを記憶手段から読出しし（Ｓ３０）、入力用ユーザインターフェイスデータを前記依頼者側端末装置２０に送信する（Ｓ４０）。
【００３５】
入力用ユーザインターフェイス用データを受信した依頼者側端末装置２０は、入力用ユーザインターフェイスを表示して依頼者に入力を促す（Ｓ５０）。図４から図８に依頼者側端末装置２０によって表示される入力用ユーザインターフェイスの画面表示例を示す。
【００３６】
図４は、依頼者側端末装置の依頼入力において、最初に表示される入力用ユーザインターフェイスの画面表示例である。この入力画面は依頼者に配布を希望する地域を入力させるための画面（「配布地域入力画面」と呼ぶ）である。画面表示領域４００内に、配布希望エリア入力領域と、住居指定入力領域と、町名指定入力領域が用意されている。配布希望エリア入力領域には、配布希望する地域の県を依頼者に指定させるための県エリア選択ボックス、市区エリアを指定させるための市区エリア選択ボックスが用意される。選択ボックスでは、県名、市区名が列挙されたプルダウンリストが表示されるようになっている。依頼者はキーボードやポインティングデバイスを用いてこれら選択ボックスを操作し、県名、市区名を決定する。
【００３７】
住居指定入力領域には、集合住宅にのみ配布することを求める「集合」ボタン、戸建て住宅にのみ配布することを求める「戸建て」ボタン、いずれの区別なく全ての住居に配布することを求める「なし」ボタンが用意されている。
【００３８】
町名指定入力領域には、先に選択した市区名に該当する地域のうち、ある特定の町内にのみ配布を求める場合に、その町名を指定させるための入力領域である。依頼者が希望する場合には、所望する町名に対応するチェックボックスにチェックマークを表示させる。
【００３９】
画面表示領域４００内には、さらに「追加」ボタン、「次へ」ボタンが用意されている。「追加」ボタンは、依頼者がさらに別の地域にも配布を求める場合に使用される。「追加」ボタンがクリックなどにより活性化されると、別の地域の入力のための新たな配布地域入力画面に遷移する。
【００４０】
一方、上記配布地域に関する入力が完了し、「次へ」ボタンをクリックなどにより活性化させると、図５にしめす画面表示に遷移する。図５は、図４の配布地域入力画面からの遷移先の画面表示例（配布部数入力画面と呼ぶ）である。
【００４１】
図５に示す配布部数入力画面において、画面表示領域４００内には、入力された配布地域、同じく配布部数入力画面において入力された住居指定、配布地域における配布可能部数を表示する領域と、希望配布部数を入力させるための配布部数入力ボックスとが設けられている。配布部数入力ボックスには、キーボードなどにより数値が入力可能である。また、配布部数入力画面において、依頼者が配布地域の選択を取り消すための削除ボタン、入力が完了した場合、次の画面に遷移させるための「次へ」ボタンが用意されている。この「次へ」ボタンがクリックなどの操作により活性化されると、図６に示す画面に遷移する。
【００４２】
図６は、配布部数入力画面からの遷移先画面である、配布ブラン入力画面の例である。配布ブラン入力画面において、画面表示領域４００内には、配布方法を選択させるための「併配布」ボタンと、「単独配布」ボタンとが用意されている。また、配布するチラシのサイズを選択させるための用紙サイズ選択ボックスと、配布期間を選択させるための「スピードコース」ボタンと、「ゆっくりコース」ボタンが用意されている。「スピードコース」ボタンが選択された場合には、チラシを配布開始から一週間以内で配布完了させる旨の指示となる。「ゆっくりコース」ボタンが選択された場合には、チラシを配布開始から二週間から一カ月以内で配布完了させる旨の指示となる。
【００４３】
また、配布プラン入力画面には、入力が完了した場合、次の画面に遷移させるための「次へ」ボタンが用意されている。この「次へ」ボタンがクリックなどの操作により活性化されると、図７に示す画面に遷移する。
【００４４】
図７は、図６に示した配布プラン入力画面からの遷移先画面である、印刷仕様入力画面の例である。印刷仕様入力画面は、依頼者にチラシの印刷に関する詳細を入力させるための画面である。印刷仕様入力画面において、画面表示領域４００内には、印刷部数を指定させるための印刷部数選択ボックスと、印刷用紙・厚さを指定させるための印刷用紙・厚さ選択ボックスと、印刷色数を指定させるための印刷色数選択ボックスと、折り加工の有無を指定させるための折り加工選択ボックスと、色校正の有無を指定させるための色校正選択ボックスと、印刷端数の要否を指定させるための印刷端数選択ボックスと、配布開始希望日を指定させるための配布開始希望日選択ボックスとが用意されている。依頼者はこれらの選択ボックスを操作して、希望する印刷仕様の詳細の入力を行う。
【００４５】
また、印刷仕様入力画面には、入力が完了した場合、次の画面に遷移させるための「次へ」ボタンが用意されている。この「次へ」ボタンがクリックなどの操作により活性化されると、図８に示す画面に遷移する。
【００４６】
図８は、図７に示した印刷仕様入力画面からの遷移先画面である、見積額表示画面の例である。見積額表示画面は、前述した配布地域入力画面(図４）から印刷仕様入力画面(図８)までで入力された情報とデータベースの見積額テーブルに基づいて、配布料金の見積額、印刷料金の見積額、及び合計の見積額を表示する画面である。依頼者は見積額を確認して、この内容で依頼を確定させる場合には、画面中に用意された注文確定ボタンを活性化させる。注文確定ボタンを活性化させると、依頼者から本システムの運営者、管理者などへの料金の支払い方法を選択決定させる別の画面に遷移するがこれらの料金支払い処理の説明は省略する。料金支払い処理が完了すると、前述した配布地域入力画面(図４）から印刷仕様入力画面(図８)までで入力された情報の集合である依頼情報を、依頼者側端末装置２０は管理装置１０に送信する。なお、見積額を受け入れられない場合は、キャンセルボタンを活性化させ、入力のキャンセルが行われる。
【００４７】
図３に戻り、本受注システム１の動作例の説明を続ける。  
依頼情報を受信（Ｓ７０）した管理装置１０、より詳しくは依頼処理部２２はこの案件を特定する情報である案件整理番号を決定し、データベース２３を参照してこの案件に適した印刷会社、ポスティング会社を選択するとともに、案件整理番号、選択した印刷会社とポスティング会社の情報、及び依頼情報（全部又は一部）を印刷指示部２４、ポスティング指示部２５に渡す。
【００４８】
案件整理番号、選択した印刷会社とポスティング会社の情報、及び依頼情報を受け取った印刷指示部２４は、選択された印刷会社に対応する印刷会社側端末装置３０に印刷指示情報を生成し（Ｓ８０）、送信する（Ｓ９０）。本実施の形態では、管理装置１０は、印刷会社の電子メールアドレス宛ての電子メールとして印刷指示情報を送信する。印刷指示情報の内容には、依頼情報に含まれる事項のうち、印刷を実行するために必要な事項が含まれる。
【００４９】
印刷指示情報を受信した印刷会社側端末装置３０は、印刷指示情報の内容を表示（Ｓ１００）して、印刷会社に印刷物の作成を促す。表示方法は画面表示、プリントアウト、その他の表示方法のいずれでもよい。印刷会社は、表示された印刷指示情報の内容に基づいて、依頼者の要望に従った印刷物(チラシ)作成を実行することができる。
【００５０】
図９は、印刷指示情報が電子メールで送信された場合の印刷指示情報の内容例を示す図である。図９に示した例では、表示された印刷指示情報の内容には、案件整理番号、印刷に必要な諸事項、印刷物の納品先となるポスティング会社の情報が含まれている。
【００５１】
図３に戻り、本受注システム１の動作の説明を続ける。  
案件整理番号、選択された印刷会社とポスティング会社の情報、及び依頼情報を受け取ったポスティング指示部２５は、選択されたポスティング会社に対応するポスティング会社側端末装置４０にポスティング指示情報を生成し（Ｓ１１０）、送信する（Ｓ１２０）。本実施の形態では、管理装置１０は、ポスティング会社の電子メールアドレス宛ての電子メールとしてポスティング指示情報を送信する。ポスティング指示情報の内容には、依頼情報に含まれる事項のうち、ポスティングを実行するために必要な事項が含まれる。
【００５２】
ポスティング指示情報を受信したポスティング会社側端末装置４０は、ポスティング指示情報の内容を表示（Ｓ１３０）して、ポスティング会社に印刷物の戸別配布を促す。ポスティング指示情報の表示方法は画面表示、プリントアウト、その他の表示方法のいずれでもよい。ポスティング会社は、表示されたポスティング指示情報の内容に基づいて、依頼者の要望に従ったポスティングの実行をすることができる。
【００５３】
図１０は、ポスティング指示情報が電子メールで送信された場合のポスティング指示情報の内容例を示す図である。図１０に示した例では、表示されたポスティング指示情報の内容には、案件整理番号、ポスティングに必要な諸事項、印刷物の納品元となる印刷会社の情報が含まれている。
【００５４】
[３．受注処理方法]
管理装置１０は、本発明の別の態様である受注処理方法を実行する装置でもある。以下に、本発明の別の実施の態様である受注処理方法について説明する。図１１は、管理装置１０によって実行される受注処理方法の一例を示したフローチャートである。
【００５５】
受注処理方法において、まず管理装置１０は依頼入力要求待ち受け処理を行う（Ｓ１１１０）。この処理はいずれかの依頼者側端末から先に述べた依頼入力要求メッセージ（図３、Ｓ２０参照）を待ち受ける処理である。この依頼入力要求待ち受け処理には、依頼入力要求メッセージを受信した場合に依頼者側端末装置２０に依頼有力用ユーザインターフェイスデータ生成（図３，Ｓ３０）、送信（図３，Ｓ３０）の処理も含まれているものとする。
【００５６】
次に、管理装置１０は依頼情報処理受信処理を行う（Ｓ１１２０）。依頼者側端末装置２０で入力された内容を含む依頼情報がネットワーク５０を経由して管理装置１０に送信されるが、この依頼情報を受信する処理である。
【００５７】
次に、管理装置１０、より詳しくは依頼処理部２２は受信した依頼情報に基づいて、この依頼案件に関する印刷、ポスティングを実行する印刷会社、ポスティング会社を選択決定する（ＳＳ１１３０）。印刷会社、ポスティング会社の選択決定は、例えば、データベース２３に記憶させている地域−印刷会社テーブル、地域−ポスティング会社テーブルを参照することによって行われる。管理装置１０、より詳しくは依頼処理部２２は選択した印刷会社とポスティング会社の情報、及び依頼情報（全部又は一部）を印刷指示部２４、ポスティング指示部２５に送る。
【００５８】
選択された印刷会社とポスティング会社の情報、及び依頼情報を受け取った印刷指示部２４は、印刷指示情報を生成し、選択された印刷会社に対応する印刷会社側端末装置３０にこれを送信する（Ｓ１１４０）。
【００５９】
また、選択された印刷会社とポスティング会社の情報、及び依頼情報を受け取ったポスティング指示部２５は、ポスティング指示情報を生成し、これを選択されたポスティング会社に対応するポスティング会社側端末装置４０に送信する（Ｓ１１５０）。
【００６０】
この後前記依頼入力要求待ち受け処理（Ｓ１１１０）に戻り、いずれかの依頼者側端末装置２０からの要求を待ち受け、以後ステップＳ１１２０からステップＳ１１５０の処理を行うことを繰り返す。
以上で、受注処理方法の説明を終了する。
【００６１】
[４．変形例]
（１）上記実施の形態では、データベース２３は配布地域と印刷会社を対応付けしている情報と、配布地域とポスティング会社を対応付けしている情報とを記憶している構成としたが、配布地域とポスティング会社を対応付けしている情報に換えて、印刷会社とポスティング会社を対応付けしている情報を有する構成としても本発明は成立する。
（２）上記実施の形態では、印刷会社側端末装置３０及びポスティング会社側端末装置４０は情報処理装置であるとして説明したが、印刷会社側端末装置３０及び／又はポスティング会社側端末装置４０は、ファクス、プリンタ、複合機などであっても本発明は成立する。
【符号の説明】
【００６２】
１…受注システム
１０…管理装置
２０…依頼者側端末装置
３０…印刷会社側端末装置
４０…ポスティング会社側端末装置
５０…ネットワーク
２１…通信処理部
２２…依頼処理部
２３…データベース
２４…印刷指示部
２５…ポスティング指示部
【図１】
2012252544.tif 000003
【図２】
2012252544.tif 000004
【図３】
2012252544.tif 000005
【図４】
2012252544.tif 000006
【図５】
2012252544.tif 000007
【図６】
2012252544.tif 000008
【図７】
2012252544.tif 000009
【図８】
2012252544.tif 000010
【図９】
2012252544.tif 000011
【図１０】
2012252544.tif 000012
【図１１】
2012252544.tif 000013